(57)【要約】      （修正有）【課題】洗濯中、水槽に漂っている繊維くずが、ポケットの底に留まらないように、ポケットの底に空間を持ち合わせるようにした洗濯補助具を提供する。【解決手段】洗濯水槽に漂っている繊維くずが、衣類７のポケット８底に留まってしまうのを防ぐために、滑り止め材２と支持板３とを備えた洗濯補助具１を、ポケット８に挿入することで、ポケット８の内底に空間を持たせることでポケット８内の水が対流しやすくなり、そうすることで、ポケット８内底に、繊維くずが留まらないようにする事が出来る。【選択図】図５
2015051084.tif 000002
【特許請求の範囲】
【請求項１】
ポケットが付いている衣類を、洗濯機で洗濯する時に、上記衣類のポケットの中に入れて使用し、上記ポケットにゴミが溜まるのを防止する為の洗濯補助具であって、格子状乃至メッシュ状等の複数の開口部を有する板状体が筒型に形成されている事を特徴とする洗濯補助具。
【請求項２】
表面に、滑り止め材を設けた事を特徴とする請求項１記載の洗濯補助具。
【請求項３】
ポケットが付いている衣類を、洗濯機で洗濯する時に、上記衣類のポケットの中に入れて使用し、上記ポケットにゴミが溜まるのを防止する為の洗濯補助具であって、格子状乃至メッシュ状等の複数の開口部を有する板状体が筒型に形成されている本体を備え、上記本体に複数の開口部を有する支持板を設けた事を特徴とする洗濯補助具。
【請求項４】
ポケットが付いている衣類を、洗濯機で洗濯する時に、上記衣類のポケットの中に入れて使用し、上記ポケットにゴミが溜まるのを防止する為の洗濯補助具であって、格子状乃至メッシュ状の板状体を両端が閉じられた筒型に形成し、内部に複数の球が収容されている事を特徴とする洗濯補助具。
【発明の詳細な説明】
【技術分野】
【０００１】
本発明は、衣類のポケットの内部に付着するゴミを、洗濯しながら取り除く事が出来るようにした洗濯用補助具に関するものである。
【背景技術】
【０００２】
ポケットの付いた衣類を洗濯機で水槽に入れて洗濯する際、他の衣類の毛綿くずが付くことのないように、個々の衣類を洗濯ネットに入れたり、洗濯機の水槽の中に、浮き輪に屑取りネットが付いたものを水槽に浮かべたりして、洗濯中に衣類のポケットの中に繊維のくずが付着しないようにしている。
【発明の開示】
【発明が解決しようとする課題】
【０００３】
ポケットの内部に、洗濯する前には入ってなかったはずの繊維のくずが、洗濯機で洗濯した後に溜まっていることがある。
洗濯をすることで、衣類に付着した汚れは取り除かれるものの、洗濯水の中に混ざり込んだ繊維のくず等が、洗濯中にポケットに紛れ込んでしまい、ポケットの中に溜まった繊維のくずが出難い状況となる。これらを取り除く為には、わざわざ洗濯の途中に、ポケット部分を裏側にひっくり返して、ポケットの底に付着したくずをブラシで取り除いたり、水流で流したりして取り除いたりしている。このように、洗濯機で洗濯するだけでは、ポケットの中底に入り込んだ繊維くず等を除去するに至らず、洗濯機で洗濯したにもかかわらず、自分の手で、ポケットの中底に付着した繊維のくず等を取り除かなければならないという問題がある。
【０００４】
本発明は、このような問題点を解決し、洗濯機で衣類の洗濯中に、繊維のくず等をポケットの内部に溜めにくくする洗濯用補助具を提供しようとするものである。
【課題を解決するための手段】
【０００５】
以上の事を解決する為に、第１の発明は、格子状乃至メッシュ状等の複数の開口部を有する板状体を筒型に形成した物を洗濯補助具とした。
【０００６】
、
第２の発明は、第１の発明において、筒型に形成した板状体の表面に、滑り止め材を設けた。
【０００７】
第３の発明は、格子状乃至メッシュ状等の複数の開口部を有する支持板を筒型に形成した板状体に取り付けた。
【０００８】
第４の発明は、両端が閉じた複数の開口部を有する板状体の内部に複数の球を収容した。
【発明の効果】
【０００９】
本発明によれば、ポケットの付いた衣類などを洗濯機の水槽に投入して洗濯する際に、それぞれのポケットの中に本発明の洗濯補助具を挿入することで、ポケットの底に空間が出来るため、ポケットに出入りする水流が形成され、繊維のくず等がポケットの袋の底の中に留まりにくくなり、洗濯機で洗濯しながら、ポケットの中の繊維のくずを取り除くという効果がある。
【発明を実施するための形態】
【００１０】
以下、本発明の実施する形態を図１〜５に基づいて具体的に説明する。
図１において、１は水を通しやすいように格子状に形成された板状体を筒状に形成した本発明の洗濯補助具で、洗濯補助具1は洗濯する衣類のポケットに入るほどの大きさに形成され、耐水性及び耐久性のある例えばポリエチレンやシリコン等の素材で構成されているとともにポケットの中に入れて装着した時に、洗濯補助具１がポケットの内側面生地同士の間の空間を保つような形状にしてある。
【００１１】
ここで、洗濯補助具１の直径は、２．５センチメートル。長さは６センチメートルとしているが、ポケットのサイズに合わせた長さの物をそれぞれ用いるのが望ましい。
【００１２】
洗濯補助具1の両端の一部は突起１−Ａが設けられ、この突起1-Ａがポケットの角隅に空間を持たせる働きもあり、繊維くず等が付着しにくくする事が出来、また、突起の引っかかりが、より、ポケットから飛び出しにくい形状となりうるが、この突起1-Ａは必ずしも必要としない。
【００１３】
図２は第二の実施形態を示すもので、２は洗濯補助具1に接着された滑り止め材で、洗濯補助具１の両面に複数個所設けられている。使用時にはこの滑り止め材2が洗濯する衣類の生地に当接するようになる。
【００１４】
ここで、滑り止め材２は、クッション性もあり、耐水性・耐久性を持つゴム・又はシリコン等が望ましい。
【００１５】
図３は洗濯補助具1が安定して衣類のポケットに収まるようにするための支持板を
取り付けた実施形態を示すもので、図３において、３は支持板で、その一端部が洗濯補助具１に接合され、衣類が洗濯機の水槽の中で回転している時に、ポケット内に安定的に納まるように設けている。
【００１６】
上記の例のように洗濯補助具の直径が２．５センチ、長さが６センチの場合、支持板３の大きさは、横幅が６センチメートル・縦は８センチメートル程度の物で形成しているが、、洗濯中に洗濯補助具１がポケット内で安定的に納まるものであれば支持板３の大きさは問わない。
【００１７】
ここで、洗濯補助具１と支持板３の素材は、衝撃に強く水にも強い耐水性・耐久性に優れた素材からなり、かつ衣類の生地を傷めない程の固さで、例えば低密度ポリエチレンや、又はシリコン等の素材が望ましい。
【００１８】
さらに、洗濯補助具１と支持板２のメッシュの大きさは、繊維くずが容易に通り抜けするほどの大きさとし、一実施例では、洗濯補助具１は５．１ミリメートル×５．８ミリメートルの開口部を有する網目で、支持板３は、１．９ミリメートル×２．８ミリメートルの大きさの開口部を有するメッシュを用いて形成している。
【００１９】
図4は筒型の洗濯補助具１の内部に球を内蔵した実施形態を示すものである。
図4において、５は洗濯補助具１の中に入れた球である。この例では、メッシュの板状体で筒型に形成された洗濯補助具１の両端は閉じられており、その内部に球５が複数個収納されている。
【００２０】
球５の大きさは、洗濯補助具１のメッシュの孔より飛び出ないような大きさになっている。
【００２１】
なお、球５の素材は、耐水・耐久性のある素材からなり、例えばポリエチレンやシリコン等の素材が望ましく、球５は中空ではなく、洗濯の途中に浮力でポケットから外に洗濯補
助具１が飛び出さないように構成されている。
【００２２】
ここで、図の例では、球５を収容した洗濯補助具１に支持板３が結合された構造としているが、支持板３が設けられていない構造でもよい。
【００２３】
洗濯補助具１に球５を設けることで、洗濯補助具１の内部で水の対流にあわせて球５が動き回ることで、洗濯中に、ポケットの中の水がより対流し易くなるので、ポケットの中の繊維くずや埃くずを攪拌し取り除き易くすることが出来る。
【００２４】
図5は実際に使用する状態を示したもので、8は衣類7のポケットである。
【００２５】
このように、支持板３をポケット8の内側に当接するように、衣類7のポケット8内部の空間9に挿入する事で、洗濯補助具１の膨らみでポケット8が膨らみ過ぎて、ポケットの形状が損なわれにくくすることができる。
【００２６】
本発明の洗濯補助具の使い方を、図5を用いて説明する。
【００２７】
洗濯しようとする衣類7のポケット8の内部の空間9に支持板３が設けられた洗濯補助具１を装着する方法は、まず、手の指で洗濯補助具1を持ち、ポケット8の開口部より、洗濯補助具１がポケット８の内部の空間9の底部に当接するように支持板３を手で挟み、衣類７のポケット８の開口部より挿入する。この時、支持板３がポケット8の内部で曲がったり折れたりしないように挿入する。洗濯機にて洗濯が終了したら、本発明の洗濯補助具1を衣類７のポケット8より取り出す。
【００２８】
なお、この洗濯補助具1が飛び出して他の衣類に傷をつけないようにするために、この洗濯補助具を使用する衣類は、洗濯ネットに入れて使用することが望ましい。
【００２９】
このように、洗濯補助具を用いることで、ポケットの中の空間の底部に空間が出来るため、洗濯中に洗濯機の水槽に対流している繊維のくずや埃くずが、ポケットの内部の空間の底部に留まりにくくなるので、わざわざ繊維のくず等を取り除くような特別な作業をしなくて済むため、日々の洗濯の労力が軽減される。
【図面の簡単な説明】
【００３０】
【図１】本発明の洗濯補助具の斜視図である。
【図２】同他の例を示す斜視図である。
【図３】同他の例を示す斜視図である。
【図４】同別の例の斜視図である。
【図５】本発明の洗濯補助具を衣類のポケットに入れた状態を示す平面図である
【符号の説明】
【００３１】
１、  洗濯補助具
１―Ａ、突起
２、滑り止め材
３、支持板
５、球
７、衣類
８、ポケット
【図１】
2015051084.tif 000003
【図２】
2015051084.tif 000004
【図３】
2015051084.tif 000005
【図４】
2015051084.tif 000006
【図５】
2015051084.tif 000007